【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
隣接する椎骨間の椎間板空間内で関節固定を容易にするための固定装置において、
一定の長さと、ほぼ全長に亘って伸長する室及び該室と連絡した開口部を画成する内側面を有する中空荷重支持体と、
前記室に配置されると共に、適当な担体内に骨形態発生タンパク質を含んでいる骨形成材料とを備えていることを特徴とする固定装置。
【請求項２】
前記骨形態発生タンパク質がｒｈＢＭＰ−２、ｒｈＢＭＰ−７またはそれらの混合物であることを特徴とする請求項１に記載の装置。
【請求項３】
前記担体がコラーゲンスポンジであることを特徴とする請求項１に記載の装置。
【請求項４】
前記担体がヒドロキシアパタイト及びトリカルシウム燐酸エステルを含んだ二相セラミックであることを特徴とする請求項１に記載の装置。
【請求項５】
前記荷重支持体がカルシウム燐酸エステル組成物を備えていることを特徴とする請求項１に記載の装置。
【請求項６】
前記荷重支持体が：
細長く、一定の長さと、第１の端部の第１の径と、該第１の端部に対向した第２の端部のより大きな第２の径とを有しており、前記第１及び第２の径が前記隣接する椎骨間の前記空間より大きなサイズにされており、
前記荷重支持体が前記第１の端部から前記第２の端部までほぼ連続してテーパを付けられた外側面を有しており、該外側面が該外面上に画成されて、前記荷重支持体のほぼ全長に沿って伸長する外側ねじを備えていることを特徴とする請求項１に記載の装置。
【請求項７】
前記荷重支持体が：
細長く、該荷重支持体の第１の端部及び第２の端部間の一定の長さと、前記隣接した椎骨間の前記空間より大きなサイズにされた前記第１の端部の第１の径とを有し、前記荷重支持体が該荷重支持体のほぼ全長に沿って伸長する一対の対向する円筒形部を備えた外側面と、前記対向する円筒形部間に連結され、前記荷重支持体の前記長さのかなりの部分に沿って伸長している一対のほぼ平らで対向する側壁とを備えていることを特徴とする請求項１に記載の装置。
【請求項８】
更に、前記外側面の前記一対の対向する円筒形部上に画成され、前記荷重支持体のほぼ全長に沿って伸長する外側ねじを備えていることを特徴とする請求項７に記載の装置。
【請求項９】
前記円筒形部は、前記長さのかなりの部分に沿ってテーパが付けられ、且つ、該円筒形部の第２の端部に前記第１の径より大きな第２の径を画成していることを特徴とする請求項８に記載の装置。
【請求項１０】
通し穴を画成する中空の固定装置の開口部を閉塞するためのキャップにおいて：
前記開口部を閉塞するサイズ及び形状にされると共に、工具に係合する工具穴を画成する閉塞体と、
該閉塞体から突出するとともに、前記閉塞体に結合された第１の端部と、前記通し穴に係合するリップを有する対向する第２の端部とを含み、前記キャップが前記開口部内へ挿入されて、前記リップが前記通し穴に係合した時に、前記閉塞体から前記通し穴まで到達する一定の長さを有する細長いアンカーとを備えていることを特徴とするキャップ。
【請求項１１】
更に、前記閉塞体の周囲から突出するフランジを備えていることを特徴とする請求項１０に記載のキャップ。
【請求項１２】
前記閉塞体が：
骨内部成長及びタンパク質の退出を可能にするサイズにされた骨形成開口部を画成する外側壁と、
対向する内側面と、
前記外側壁及び前記内側面に連絡し、前記開口部に接触する係合面を画成するリムとを含んでいることを特徴とする請求項１０に記載のキャップ。
【請求項１３】
更に、前記閉塞体から突出する第２の細長いアンカーを備えていることを特徴とする請求項１２に記載のキャップ。
【請求項１４】
前記アンカーが弾性材料から構成されていることを特徴とする請求項１２に記載のキャップ。
【請求項１５】
前記キャップが生物学的適合性を有したポリマーから構成されていることを特徴とする請求項１０に記載のキャップ。
【請求項１６】
前記ポリマーがポリエチレンであること特徴とする請求項１５に記載のキャップ。
【請求項１７】
前記工具穴が一体にねじを切られていることを特徴とする請求項１０に記載のキャップ。
【請求項１８】
更に、前記開口部を閉塞するキャップであって、該キャップが前記開口部に接触するサイズ及び形状にされた閉塞体と、該閉塞体から突出し、前記閉塞体に結合された第１の端部と、前記荷重支持体に係合して前記開口部内で前記閉塞体を保持する係合手段を有する、対向する第２の端部とを含む細長いアンカーとを有するキャップを備えていることを特徴とする請求項６に記載の装置。
【請求項１９】
前記係合手段が前記第２の端部から突出するリップを備えていることを特徴とする請求項１８に記載の装置。
【請求項２０】
前記荷重支持体の前記外側面が前記室と連絡した通し穴を画成し、前記アンカーが、前記キャップが前記開口部内へ挿入されて、前記リップが前記通し穴内へ係合した時に、前記閉塞体から前記通し穴まで到達する一定の長さを有していることを特徴とする請求項１９に記載の装置。
【請求項２１】
更に、前記閉塞体の周囲から突出するフランジを備えていることを特徴とする請求項１８に記載の装置。
【請求項２２】
前記外側壁が、前記リップが前記通し穴内へ係合されると、前記開口部と面一になることを特徴とする請求項１８に記載の装置。
【請求項２３】
前記閉塞体が骨内部成長及びタンパク質の退出を可能にするサイズにされた該閉塞体を貫通する骨形成開口部を画成することを特徴とする請求項１８に記載の装置。
【請求項２４】
前記閉塞体が駆動工具を収容する工具穴を画成することを特徴とする請求項１８に記載の装置。
【請求項２５】
更に、前記開口部を閉塞するキャップであって、該キャップが前記開口部に接触するサイズ及び形状にされた閉塞体と、該閉塞体から突出し、前記閉塞体に結合された第１の端部と、前記荷重支持体に係合して前記開口部内で前記閉塞体を保持する係合手段を有する、対向する第２の端部とを含む細長いアンカーとを有するキャップを備えていることを特徴とする請求項７に記載の装置。
【請求項２６】
前記係合手段が前記第２の端部から突出するリップを備えていることを特徴とする請求項２５に記載の装置。
【請求項２７】
前記荷重支持体の前記外側面が前記室と連絡した通し穴を画成し、前記アンカーが、前記キャップが前記開口部内へ挿入されて、前記リップが前記通し穴内へ係合した時に、前記閉塞体から前記通し穴まで到達する一定の長さを有していることを特徴とする請求項２６に記載の装置。
【請求項２８】
更に、前記閉塞体の周囲から突出するフランジを備えていることを特徴とする請求項２５に記載の装置。
【請求項２９】
前記外側壁が、前記リップが前記通し穴内へ係合されると、前記開口部と面一になることを特徴とする請求項２５に記載の装置。
【請求項３０】
前記閉塞体が骨内部成長及びタンパク質の退出を可能にするサイズにされた該閉塞体を貫通する骨形成開口部を画成することを特徴とする請求項２５に記載の装置。
【請求項３１】
前記閉塞体が駆動工具を収容する工具穴を画成することを特徴とする請求項２５に記載の装置。
【請求項３２】
中空椎体間固定装置のキャップを操作する工具において：
各々が前記固定装置に係合する第１の係合手段を画成する基端部を有する一対のプロングと、
前記キャップに係合する第２の係合手段を画成する第１の端部を有するシャフトと、
前記シャフトを前記プロングの間で摺動自在に支持する手段とを備えていることを特徴とする工具。
【請求項３３】
中空椎体間固定装置のキャップを操作する工具において：
貫通する通路を画成する本体と、
各々が前記ハウジングへ結合された末端部と、前記固定装置に係合する向かい合った係合面を有する基端部とを有する一対のプロングと、
前記本体内に摺動自在に配置されると共に、前記キャップ内の工具穴に係合するキャップ係合先端を画成する第１の端部を有し、引っ込められた位置と、前記第１の端部が前記プロングの前記基端部に隣接すると共に、該基端部間に位置する伸長された位置との間で摺動自在にされたシャフトとを備えていることを特徴とする工具。
【請求項３４】
前記プロングが弾性材料から構成されていることを特徴とする請求項３３に記載の工具。
【請求項３５】
前記キャップ係合先端がねじを画成することを特徴とする請求項３３に記載の工具。
【請求項３６】
更に、一方が前記向かい合った係合面の一方の上に配置されると共に、前記固定装置の本体壁の開口部内へ挿入可能となる高さ及び幅を有している一対の解放部材を備えていることを特徴とする請求項３３に記載の工具。
【請求項３７】
更に、前記キャップの細長い腕に圧力を付与して、該腕を内側方向へ撓ませて、前記椎体間固定装置から前記キャップを解放する解放手段を備えていることを特徴とする請求項３３に記載の工具。
【請求項３８】
前記解放手段が、一方が前記向かい合った係合面の一方の上に配置されると共に、前記固定装置の本体壁の開口部内へ挿入可能となって、前記開口部から前記細長い腕を解放する高さ及び幅を有している一対の解放部材を備えていることを特徴とする請求項３７に記載の工具。
【請求項３９】
更に、前記第１の端部が前記通路内へ進入するのを防止する前記第１の端部に隣接して前記シャフト上に配置された基端ストップ部材を含んでいることを特徴とする請求項３６に記載の工具。
【請求項４０】
前記基端ストップ部材が前記シャフトに係合したＯリングを備えていることを特徴とする請求項３８に記載の工具。
【請求項４１】
前記シャフトが前記Ｏリングを着座させる溝を画成することを特徴とする請求項４０に記載の工具。
【請求項４２】
更に、前記シャフトの第２の端部に結合されて、前記通路の周囲より大きな周囲を有して、前記シャフトの前記第２の端部が前記通路へ進入するのを防止する末端ストップ部材を備えていることを特徴とする請求項３３に記載の工具。
【請求項４３】
更に、前記シャフトの第２の端部に結合されて、前記通路の径より大きな径を有して、前記シャフトの前記第２の端部が前記通路へ進入するのを防止する末端ストップ部材を備えていることを特徴とする請求項３３に記載の工具。
【請求項４４】
更に、前記シャフトの第２の端部へ結合されて前記通路内で前記シャフトを回動及び摺動させる末端シャフト操作部材を備えていることを特徴とする請求項３３に記載の工具。
【請求項４５】
前記操作部材が前記通路の周囲より大きな寸法を有して、前記シャフトの前記第２の端部が前記通路へ進入するのを防止することを特徴とする請求項４４に記載の工具。
【請求項４６】
前記操作部材がサムホイールであることを特徴とする請求項４５に記載の工具。
【請求項４７】
隣接する椎骨間の椎間板空間内で関節固定を容易にするための固定装置において、
相互連結された連続孔を有する多孔性の生物学的適合性を備えた骨内部成長材料から成り、隣接する椎骨に係合する外側ねじを画成する外面を有する、本体を備え、
前記本体は、該本体のほぼ全長に沿って伸長する一対の対向する円筒形部を含み、該円筒形部の各々は、隣接する椎骨に係合する外側ねじを画成する外面を有し、かつ、前記本体の全長のかなりの部分に沿ってテーパを付けられ、
前記多孔性の骨内部成長材料の前記連続孔の中に、骨形態発生タンパク質を含んだ骨形成材料を備えていることを特徴とする固定装置。
【請求項４８】
前記骨形態発生タンパク質がｒｈＢＭＰ−２、ｒｈＢＭＰ−７またはそれらの混合物であることを特徴とする請求項４７に記載の固定装置。
【請求項４９】
前記多孔性の骨内部成長材料が、相互連結された連続孔を画成する炭質材料の相互連結されたネットワークにより形成される非金属剛性気泡支持体および前記ネットワークを覆う金属薄膜から成る複合材料であることを特徴とする請求項４７に記載の固定装置。
【請求項５０】
前記炭質材料がカーボン気泡体であることを特徴とする請求項４９に記載の固定装置。
【請求項５１】
前記金属薄膜が第５族金属または該第５族金属の合金から成ることを特徴とする請求項４９に記載の固定装置。
【請求項５２】
前記金属薄膜がタンタルまたはその合金から成ることを特徴とする請求項５１に記載の固定装置。
【請求項５３】
更に、前記本体上に施された定着剤を有し、該定着剤が前記連続孔内に施されていることを特徴とする請求項５２に記載の装置。
【請求項５４】
前記定着剤がカルシウム燐酸エステル組成物を含んでいることを特徴とする請求項５３に記載の装置。
【請求項５５】
前記カルシウム燐酸エステル組成物がヒドロキシアパタイトを含むことを特徴とする請求項５４に記載の装置。
【請求項５６】
前記カルシウム燐酸エステル組成物が、更に、トリカルシウム燐酸エステルを含み、前記カルシウム燐酸エステル組成物が二相セラミックであること特徴とする請求項５５に記載の装置。
【請求項５７】
前記本体は細長く、一定の長さと、第１の端部の第１の径と、該第１の端部に対向した第２の端部のより大きな第２の径とを有しており、前記第１及び第２の径が前記隣接する椎骨間の前記空間より大きなサイズにされており、
前記本体の前記外面は前記第１の端部から前記第２の端部までほぼ連続してテーパを付けられ、前記外側ねじが前記本体のほぼ全長に沿って前記外面上に伸長していることを特徴とする請求項４７に記載の装置。
【請求項５８】
前記本体は細長く、該本体の第１の端部及び第２の端部間の一定の長さと、前記隣接した椎骨間の前記空間より大きなサイズにされた前記第１の端部の第１の径とを有し、前記本体の前記外面は、前記対向する円筒形部間に連結され、前記本体の前記長さのかなりの部分に沿って伸長している一対のほぼ平らで対向する側壁とを備えていることを特徴とする請求項４７に記載の装置。